(57)【要約】【課題】リモコンホルダに装着したリモコンを特定部材を用いなければ取り外せなくし、無用な持ち去り（盗難や紛失）を防止する。【解決手段】リモコンホルダ１を柱や壁に取付孔１４をネジ止めして取付ける。リモコンホルダの背面側の内面に凹部１１を形成し、この凹部内に前後に撓み可能にロック片１２を形成し、ロック片の先端部に爪部１３を形成する。リモコンホルダにリモコンを両腕５内に挿着し、下端が受け部４に達する位置にすれば、リモコン背面の凹み１５にロック片の爪部が係合し、リモコンはリモコンホルダ内にロックされる。リモコンを取り外すには、キー板３を矢印Ｃのように凹部１１に差し込む。キー板は両側の溝１７が凸状部１８に案内されて凹部に挿入され、強く押すことで先端１６が爪１３を矢印Ｄの方向に押すので、爪部１３と凹み１５との係合が外れ、ロックが解除されるので、リモコンを取り出すことができる。【選択図】  図２
2004235974.tif 000002
【特許請求の範囲】
【請求項１】
背面に係合のための凹みを備えたリモコンと、板面の左右両側に前記リモコンを抱持する腕部を、下側に前記リモコンの下面を支持する受け部を、表面上部から中央に向かって凹部をそれぞれ形成し、同凹部内に、前記リモコンの凹みに係止されて前方に突出する爪部を備えた先端が後方に撓むロック片を切り込みにより設けてなるリモコンホルダと、同リモコンホルダの上部から前記凹部に挿抜が可能なキー板とからなり、前記リモコンは、前記リモコンホルダに装着することにより背面の凹みに前記爪部が係合して同リモコンホルダ内にロックされ、前記キー板を挿入することにより、前記爪部が同キー板で押され、前記凹みから外れてロックが解除され、前記リモコンホルダから取り出し可能となるようにしたことを特徴とするリモコン取付装置。
【請求項２】
前記凹部は前記板面の表面に逆凸字形に形成し、前記ロック片は、前記爪部を前記逆凸字形の突出部分に対応する位置に形成すると共に、前記キー板を前記凹部と合致する形状に形成してなることを特徴とする請求項１記載のリモコン取付装置。
【請求項３】
前記キー板の両側面に溝を形成すると共に、前記凹部の同キー板の前記溝に対向する部分に同溝に対応する凸状部を形成してなることを特徴とする請求項１または２記載のリモコン取付装置。
【発明の詳細な説明】
【０００１】
【発明の属する技術分野】
本発明はリモコン取付装置に係り、柱や壁面等に取付けてリモコンを保持するものに関する。
【０００２】
【従来の技術】
不特定の人が使用する部屋に空気調和機を設置するような場合、空気調和機を遠隔操作するためのリモコンは、例えば、柱や壁面等にリモコンホルダを取付け、これにリモコンを装着しておくケースがある。この場合、リモコンが外され、行方不明になったり持ち去られたりすることがあるので、これを防止するため、何らかの操作をしなければリモコンホルダからリモコンを取り外せないようにしたものがある。図３は従来のリモコン取付装置の一例で、図３（イ）のリモコンホルダ２１の左右両側の辺部と下側の辺部に細長孔２５を設け、この細長孔２５に図３（ロ）に示す固定具２３の脚部を差し込み、この脚部に受け具２４を取付け、リモコン２２には、図３（ハ）に示す受け孔２６を左右両側面および下側面に設けておき、リモコン２２を取付ける際には、リモコンホルダ２１の固定具２３を取付けた辺部を外方に押し広げながらリモコン２２を挿着し、固定具２３を矢印の方向に押して細長孔２５内で脚部をスライドさせ、固定具２３の脚部が受け孔２６の括れ部分２７に嵌まる位置にする。これにより、リモコン２２の各側部がリモコンホルダ２１の三側の辺部と共に固定具２３と受け具２４とで挟まれ、リモコンホルダ２１内にリモコン２２が固定される構造のものである（例えば、特許文献１参照）。
しかし、この構造は、例えば、電池を交換する場合でも複数の固定具２３部分を操作しなければリモコン２２の着脱ができず、リモコン２２の盗難防止には有効であるが、構造が複雑であり、かつ、リモコンの着脱が面倒という問題がある。
【０００３】
【特許文献１】
特開平７−２９８３７８号公報（第２−３頁、図１、図３）
【０００４】
【発明が解決しようとする課題】
本発明は以上述べた問題点を解決し、構造が簡単で、リモコンの着脱が容易にでき、かつ、リモコンを取り外そうとしても簡単には取り外すことのできないリモコン取付装置を提供することを目的とする。
【０００５】
【課題を解決するための手段】
本発明は上述の課題を解決するため、背面に係合のための凹みを備えたリモコンと、板面の左右両側に前記リモコンを抱持する腕部を、下側に前記リモコンの下面を支持する受け部を、表面上部から中央に向かって凹部をそれぞれ形成し、同凹部内に、前記リモコンの凹みに係止されて前方に突出する爪部を備えた先端が後方に撓むロック片を切り込みにより設けてなるリモコンホルダと、同リモコンホルダの上部から前記凹部に挿抜が可能なキー板とからなり、前記リモコンは、前記リモコンホルダに装着することにより背面の凹みに前記爪部が係合して同リモコンホルダ内にロックされ、前記キー板を挿入することにより、前記爪部が同キー板で押され、前記凹みから外れてロックが解除され、前記リモコンホルダから取り出し可能となる構造とする。
【０００６】
そして、前記凹部は前記板面の表面に逆凸字形に形成し、前記ロック片は、前記爪部を前記逆凸字形の突出部分に対応する位置に形成すると共に、前記キー板を前記凹部と合致する形状に形成する。
【０００７】
なお、前記キー板の両側面に溝を形成すると共に、前記凹部の同キー板の前記溝に対向する部分に同溝に対応する凸状部を形成する。
【０００８】
【発明の実施の形態】
以下、図面に基づいて本発明によるリモコン取付装置を詳細に説明する。
図１は本発明によるリモコン取付装置の一実施例を示す要部斜視図で、例えば、空気調和機の遠隔操作に用いるワイヤレス式のリモコンを柱や壁面に保持するためのものである。図の１はリモコンホルダ、２はリモコン、３はキー板、４はリモコンホルダの受け部、５はリモコンホルダの腕部である。
【０００９】
図２は本発明によるリモコン取付装置の図で、（イ）はリモコンホルダの正面図、（ロ）はＡ−Ａ′矢視断面図、（ハ）はＢ−Ｂ′矢視断面図、（ニ）はキー板３の正面図、（ホ）はキー板３の上面図で、図の１はリモコンホルダ、２（点線で示す）はリモコン、３は逆凸字形に形成したキー板、４は受け部、５は腕部で、これら符号１〜５は図１と同じものである。１１はリモコンホルダ１の板面の内側表面に逆凸字形に形成された凹部（リモコン２の装着時にリモコン２とリモコンホルダ１との隙間となる）、１２は凹部１１内に切り込みにより形成されたロック片で、先端（図の下端）が後方に撓むことができる。１３は爪部で、ロック片１２の先端部分に前方に突出させて形成している。１４はリモコンホルダ１を柱や壁面にネジ止めするための取付孔、１５はリモコン２の背面に設けた凹みで、リモコンホルダ１に装着したとき爪部１３に係合してリモコン２がロックされるように形成している。１６はキー板３の先端部、１７はキー板３の左右両側面に形成した溝、１８は、リモコンホルダ１の凹部１１にキー板３が挿入されたときキー板３の溝１７を案内するための凸状部である。
【００１０】
以上の構成において、次にその動作を説明する。
リモコンホルダ１は、装着されたリモコン２から照射される赤外線信号が被制御機器である空気調和機等の受光部に届く位置に、取付孔１４を用いて柱や壁面にネジ止めする。リモコン２は、図２（イ）に示す如く、リモコンホルダ１の板面（背面）の左右両側の腕部５で抱持され、下側の受け部４で支持されてリモコンホルダ１に装着される。リモコンホルダ１は、例えば、合成樹脂材で成形し、ロック片１２は凹部１１内に左右と下側の三方に切り込みを入れて形成し、上方から爪部１３に力を加えることにより矢印Ｄの如く後方に撓むように弾性を持たせておく（図２（ロ）参照）。これにより、リモコン２をリモコンホルダ１に挿入すれば、ロック片１２の爪部１３がリモコン２の背面で押されて後方に撓み、リモコン２の下面が受け部４内に収まった位置で爪部１３が凹み１５に係合し（図２（ロ）参照）、リモコン２は前面側は腕部５で押さえられるため、リモコンホルダ１内にロックされて取り出せない状態となる。なお、ロック片１２が撓んだとき柱や壁面に当たらないようにロック片１２の後側に適宜の空間ができるように形成する。
【００１１】
リモコンホルダ１からリモコン２を取り出す場合、図２（イ、ロ）に示す如くリモコンホルダ１の上側から凹部１１に矢印Ｃのようにキー板３を挿入する。キー板３は凹部１１の形状と同じ逆凸字形に形成し（図２（ニ）参照）、挿入により先端部１６でロック片１２の先端部の爪部１３が押されるように、逆凸字形の突出部分の位置と爪部１３の位置とを対応させて形成しておく。これにより、キー板３を押し込めば、爪部１３がキー板３の先端部１６で押され、ロック片１２は先端部が矢印Ｄの如く後方に撓み（図２（ロ）参照）、爪部１３と凹み１５との係合が外れてロックが解除され、リモコン２をリモコンホルダ１から取り出すことができる。なお、図２（ニ）に示す如くキー板３の左右両側面に溝１７を設け、図２（ハ）に示す如く凹部１１の左右両側部分を溝１７に対応させて凸状部１８を形成することにより、キー板３が凹部１１に正確に挿入され、爪部１３に押されてキー板３が前方にずれないようにし、先端部１６で間違いなく爪部１３を押圧できるようにしておく。凹部１１の形状を逆凸字形にし、キー板３を凹部１１と同じ逆凸字形にすることにより、キー板３がなければリモコン２のロックが解除できず、リモコン２の不要な取り外しができないようにしておく。凹部１１を逆凸字形にすることにより、この形状を知らない人が異物を挿入してもロックが解除される危険性を低くすることができる。なお、万が一キー板３を紛失した場合、ロック片１２の幅ぐらいの細長い薄板を用いることによりロックを解除することができる。
【００１２】
【発明の効果】
以上に説明したように、本発明によるリモコン取付装置によれば、リモコンホルダにリモコンを挿着すればリモコンは自動的にリモコンホルダ内にロックされ、取り外し不可能な状態となり、リモコンを取り外す場合はリモコンホルダにキー板を挿入するだけでロックが解除され、リモコンを取り出すことができるもので、キー板を挿抜するだけでロックしたりロックを解除することができるという簡単な操作ですみ、しかも、構造が簡単で実施が容易な有用なものである。なお、キー板と、キー板を挿抜する凹部とを逆凸字形状に形成することにより、異物を用いてロックが解除される危険性を低く抑えることができ、また、キー板の両側面に溝を形成し、これに対応する凹部の両側部分を凸状に形成することにより、キー板を挿入したときキー板の先端部が爪部に押されて前方に曲がることがなく、ロック板の爪部を正常に押圧するのでロックを解除することができる。
【図面の簡単な説明】
【図１】本発明によるリモコン取付装置の一実施例の要部斜視図である。
【図２】本発明によるリモコン取付装置の一実施例で、（イ）は正面図、（ロ）はＡ−Ａ′矢視断面図、（ハ）はＢ−Ｂ′矢視断面図、（ニ）はキー板の正面図、（ホ）はキー板の上面図である。
【図３】従来のリモコン取付装置の一例で、（イ）は要部斜視図、（ロ）は固定具の側面図、（ハ）は受け孔の図である。
【符号の説明】
１  リモコンホルダ
２  リモコン
３  キー板
４  受け部
５  腕部
１１  凹部
１２  ロック片
１３  爪部
１４  取付孔
１５  凹み
１６  先端部
１７  溝
１８  凸状部
【図１】
2004235974.tif 000003
【図２】
2004235974.tif 000004
【図３】
2004235974.tif 000005